(57)【要約】      （修正有）【課題】型枠コンクリートブロック構築体において、外装材の取付けを簡単、確実にできるようにする。【解決手段】縦横に積み重ねられて構築物の壁体を構成する型枠コンクリートブロック１と、型枠コンクリートブロックに固定されて外方に突出するハンガー２と、縦材と横材とが格子に組まれ、横材がハンガーに形成されたポケットに挿入されて型枠コンクリートブロックの外側に吊架されるハングネット３と、ハングネットの縦材又は横材に並べ掛けられてその外面を被覆する外装材４とからなることを特徴とする型枠コンクリートブロック構築体。【選択図】図１
2006169862.tif 000002
【特許請求の範囲】
【請求項１】
縦横に積み重ねられて構築物の壁体を構成する型枠コンクリートブロックと、型枠コンクリートブロックに固定されて外方に突出するハンガーと、縦材と横材とが格子に組まれ、横材がハンガーに形成されたポケットに挿入されて型枠コンクリートブロックの外側に吊架されるハングネットと、ハングネットの縦材又は横材に並べ掛けられてその外面を被覆する外装材とからなることを特徴とする型枠コンクリートブロック構築体。
【請求項２】
ハングネットの横材が外側に配され、外装材がこの横材に並べ掛けられる請求項１の型枠コンクリートブロック構築体。
【請求項３】
ハングネットの縦材が外側に配され、外装材がこの縦材に並べ掛けられる請求項１の型枠コンクリートブロック構築体。
【請求項４】
並べ掛けられた外装材の縦横の端が組積された型枠コンクリートブロックの縦横の端と同じに設定される請求項１〜３いずれか１項の型枠コンクリートブロック構築体。
【請求項５】
ハングネットが存在するスペースにモルタルが充填される請求項１〜４いずれか１項の型枠コンクリートブロック構築体。
【請求項６】
型枠コンクリートブロックとハングネットとの間にハンガーに刺通されて型枠コンクリートブロックとハングネットとで挟持される断熱材が設けられる請求項１〜５いずれか１項の型枠コンクリートブロック構築体。
【請求項７】
外装材が、セメント成形板、タイルブロック、タイル、レンガ、金属板、樹脂板のいずれか又は組み合わされたものである請求項１〜６いずれか１項の型枠コンクリートブロック構築体。
【請求項８】
請求項１〜７いずれか１項の型枠コンクリートブロック構築体に用いられるハンガーであり、このハンガーが、型枠コンクリートブロックのフェイスセルの上辺に直角に嵌合される切欠と、切欠の前方にハングネットの横材を収受する上向きのポケットとが形成された板材である型枠コンクリートブロック構築体に用いられるハンガー。
【請求項９】
型枠コンクリートブロックのフェイスセルの裏側にハンガーの切欠の後方が嵌入できる溝が形成され、ハンガーの後面がフェイスセルの裏面と面一か又は中に取り込まれる請求項８の型枠コンクリートブロック構築体に用いられるハンガー。
【請求項１０】
ハンガーが嵌合される型枠コンクリートブロックの上に積まれる型枠コンクリートブロックがこのハンガーを挟んで積まれる請求項６の型枠コンクリートブロック構築体に用いられるハンガー。
【発明の詳細な説明】
【技術分野】
【０００１】
本発明は、型枠コンクリートブロックを用いる組積工法（ＲＭ（Reinforced Masonry) 工法）で構築された型枠コンクリートブロック構築体（以下、ＲＭ構築体）と、この構築体を構築する場合に用いられて好適なハンガーに関するものである。
【背景技術】
【０００２】
ＲＭ工法によって建物等の躯体を構築する方法は既に一般的に行われている（特許文献１）。この方法は、平成１５年４月２８日付けの国土交通省告示によって一般工法として認可されており、５階建てまでの中層建物の建築も可能になった。この工法の古くは、コストを抑えて自然感を出すために型枠コンクリートブロック（以下、ブロック）の内面も外面も化粧しない無表装のものが多かったが、これによると、雨水等による漏水や湿気による結露が問題となっていた。
【０００３】
一方、最近の家屋では室内を冷暖房するのは常識であり、木造の家屋等では壁材の内側に断熱材を貼り付けていた（内断熱）。室内の空調が必要なことは、壁体をブロックで構成するＲＭ構築体でも同様であり、断熱材を用いて外気の温度変化を遮断している。この場合、ブロック（コンクリートも同様であるが）は、室内の熱エネルギーを溜め込む絶好の蓄熱体となることから、断熱材をブロックの外側に配置する外断熱が効率的であるとされている（特許文献２）。この場合、断熱材の保持が問題となり、接着剤で貼り付けたりするのでは、保持力に問題があった。
【０００４】
加えて、断熱材を剥き出しにしていたのでは、美感上も好ましくないから、何らかの遮蔽を施した方が望ましい。そこで、断熱材の外面に外装材を取り付けて遮蔽と美感向上を図ることが行われている。しかしながら、あまり硬くもなく、また、強度も期待できない断熱材の外面に外装材を取り付けるのは大変であり、外装材を取り付ける係止具等の保持は無理であるし、接着剤等では十分な接着力が期待できない。さらに、外断熱を採用しない場合もあるが、この場合でも、ブロックの外面を生地剥き出しでは、漏水や結露及び美感に問題がある。
【特許文献１】特開２０００−２５７１８９号公報
【特許文献２】特開平１１−３５０６４３号公報
【発明の開示】
【発明が解決しようとする課題】
【０００５】
本発明は、外断熱を採用するか否かにかかわらず、ブロックの外面側に漏水防止と美観向上のための外装材を能率良く、しかも、確実に保持できるようにしたものである。
【課題を解決するための手段】
【０００６】
以上の課題の下、本発明は、請求項１に記載した、縦横に積み重ねられて構築物の壁体を構成する型枠コンクリートブロックと、型枠コンクリートブロックに固定されて外方に突出するハンガーと、縦材と横材とが格子に組まれ、横材がハンガーに形成されたポケットに挿入されて型枠コンクリートブロックの外側に吊架されるハングネットと、ハングネットの縦材又は横材に並べ掛けられてその外面を被覆する外装材とからなることを特徴とする型枠コンクリートブロック構築体を提供するとともに、これにおいて、請求項６に記載した、型枠コンクリートブロックとハングネットとの間にハンガーに刺通されて型枠コンクリートブロックとハングネットとで挟持される断熱材が設けられる手段を提供したものである。
【０００７】
また、本発明は、請求項８に記載した、以上の型枠コンクリートブロック構築体に用いられるハンガーであり、このハンガーが、型枠コンクリートブロックのフェイスセルの上辺に直角に嵌合される切欠と、切欠の前方にハングネットの横材を収受する上向きのポケットとが形成された板材である手段と、請求項１０に記載した、ハンガーが嵌合される型枠コンクリートブロックの上に積まれる型枠コンクリートブロックがこのハンガーを挟んで積まれる手段を提供したものである。
【発明の効果】
【０００８】
請求項１の手段によると、ハンガーは、ブロックを組積するときにブロックそのものに固定できるから、ブロック自体や組積作業そのものに特別の方策は必要ではない。また、ハンガーにはハングネットが吊架できるから、ハングネットに外装材を簡単に取り付けられる。さらに、請求項６の手段によると、ハンガーを断熱材に刺通できるから、これも簡単に保持できる。加えて、ハングネットは、断熱材の保持にも寄与する。
【０００９】
請求項８のハンガーによれば、ハングネット、断熱材及び外装材を効率的に保持するのに適しており、その形状は、板材に切欠とポケットとが形成されたものであるから、プレス等で簡単に成形できる。また、取付けも、フェイスセルの上辺にその切欠を嵌合すればよいのであるから、極めて簡単にできる。加えて、請求項１０の手段によれば、ハンガーの固定はより強固なものとなる。
【発明を実施するための最良の形態】
【００１０】
以下、本発明の実施の形態を図面を参照して説明する。図１は本発明に係るＲＭ構築体の斜視図、図２は断面側面図、図３は断面平面図であるが、このＲＭ構築体は、内側から、ブロック１、ハンガー２、ハングネット３及び外装材４とからなり、外断熱の場合には、ブロック１とハングネット３との間に断熱材５が設けられるものである。この場合のブロック１は、壁体を構成するのに適した大きさと稠密度（強度）を有するものであり、一般的には、前後二枚のフェイスセル６、７とフェイスセル６、７間を渡す二枚のウェブセル８、９とを有するものである。その寸法は、４００×２００×２００ｍｍ程度のものを標準とする。
【００１１】
図４はハンガー２の側面図であるが、ハンガー２は、不錆性又は防錆処理した厚さ１ｍｍ程度の薄い金属板で足り、後部下面に矩形をした切欠１０が形成され、前部上面に凹陥したポケット１１が形成されたものである。なお、これら切欠１０やポケット１１はプレス成形で簡単にできるから、コスト安く製作できる。このハンガー２は、ブロック１の前面側のフェイスセル６の上辺にその切欠１０が嵌め込まれて（このとき、切欠１０の上面とフェイスセル６の上面とは接触させる）フェイスセル６の前方に突出した状態で固定されるものである。
【００１２】
切欠１０が嵌め込まれるフェイスセル６の左右方向は、原則としてその中央であり（中央以外の場合もある）、また、ハンガー２の後面は、フェイスセル６の裏面と面一かフェイスセル６の中に取り込まれるようにするのが適する。ブロック１の空間部には、組積後、コンクリートを打ち込むが、このとき使用するバイブレータがハンガー２に干渉しないようにするためである。
【００１３】
ハンガー２をフェイスセル６の中に取り込むには、切欠１０の後方が挿入される個所に上から溝１２を穿ち、この溝１２の中に切欠１０の後方を挿入すればよい。なお、この溝１２は、成形時に形成しておけばよい。この他、切欠１０の前面又は／及び後面には、小さな突起１３を形成することもある。この突起１３がフェイスセル６の面に食い込み、組積時に手や物が当たって外れる事態が避けられるからである。ハンガー２のポケット１１には、後述するハングネット３の横材１５が嵌め込まれる。このとき、横材１５が外れないように、ポケット１１の幅や深さが設定される。
【００１４】
ハングネット３は、縦材１４と横材１５とを溶接等によって格子状に組んだものであり、横材１５がハンガー２のポケット１１に嵌め込まれて吊支される。縦材１４、横材１５ともに、その断面は円形（棒材）のものが多いが、楕円や四角形、三角形のものもある。図５は断面が正三角形をした三角筋を横材１５とした断面図であるが、このような三角筋によれば、裏足が三角形となった市販のタイル等を容易、確実に掛止できる利点がある。縦材１４と横材１５とのそれぞれの間隔は、後述する外装材４のサイズによって決められる。この場合、縦材１４と横材１５の内外関係は、縦材１４が外側に位置するものと、横材１５が外側に位置するものとがある。
【００１５】
本発明に係るＲＭ構築体では、多くの場合、ブロック１とハングネット３との間に断熱材５が設けられる。この場合の断熱材５は、発泡スチレン等の適当大きさの板状体をしているものであり、ハンガー２に刺通されてブロック１とハングネット３とで軽く押圧された状態で挟持される。したがって、ハンガー２の切欠１０の前面とポケット１１の内端までの長さは、断熱材５及びハングネット３の厚みに応じて決定される。
【００１６】
図６は外装材４の例としてのタイル４の斜視図であるが、タイル４自体は、裏面に溝（裏足ともいう）１６が長手方向に形成された長方形の通常構造のものでよい。タイル４は、後述するように、モルタルでも接着されるのであるが、本例では、ハングネット３の横材１５に並べ掛けられて止め付けられる。このため、溝１６の奥側に横材１５（又は縦材１４）が挿入できる係合溝１７が形成してあるが、これに代えて、溝１６の断面を外側が幅狭になった台形にすることもある。
【００１７】
この場合の外装材４は、タイルに限られるものではなく、セメント成形板やタイルブロック或いはレンガ等でもよいし、さらに、金属板や樹脂板であってもよい。最近では、割肌タイルブロックが自然感が出て好まれるようである。また、使用される外装材４は、同一種のものに限られるのではなく、種々取り混ぜて使用してもよい。例えば、所々に別の種類の外装材４を使用すれば、一種のアクセントとなって美的効果を高める。
【００１８】
次に、以上のＲＭ構築体を構築する場合について説明するが、以下に説明するのは、ハングネット３の横材１５を外側に配し、外装材４を横長にして横材１５に掛止する横貼りによるものである。それには、まず、建物の壁を構成する個所にブロック１を積んで壁体を構築するのであるが、この組積は、一般的な組積と同じく、最初に、横方向に並べ敷いた後、その上に次の段のブロック１を並べる作業を順次して行く。
【００１９】
この下の段のブロック１を並べるとき、各々のものにハンガー２を取り付ける。ハンガー２を取り付ける密度は、これに付加されるハングネット３や外装材４の重さに応じて決定し、必ずしもすべてのブロック１に取り付ける必要はない。ブロック１が上記したサイズのものであれば、横方向にはすべてのブロック１に、上下方向には一つおきのブロック１に取り付けるとすれば、４００×４００ｍｍの配置になる。
【００２０】
次に、その上段のブロック１を積むときは、隣り合うブロック１でこのハンガー２の上方突出部を挟むようにする。これにより、ハンガー２は、その切欠１０がフェイスセル６に嵌合し、その上方突出部がブロック１で挟まれることになって強固に固定されることになる。このとき、ハンガー２を取り付ける位置をブロック１の中心とすれば（これに限定されるものではないが）、上のブロック１が下のブロック１の中心から振り分けの位置になり、目地の間隔と通りが揃ったものになる。なお、ハンガー２の厚みだけはブロック１が離されることになるが、このハンガー２は薄いものであるから、それほど目立たないし、強度的にも問題はない。
【００２１】
このようにして所定の高さと幅にブロック１を積み、次いで、ブロック１の空間にコンクリートを打ち込めば、組積は完了するのであるが、このとき、縦筋１８や横筋１９を配するのは従来の場合と同じである。なお、ブロック１の組積そのものは、従来と同じであり、目地セメント等を用いて適宜接合する。このとき、フェイスセル６、７の内面側端部のコーナーを上下に面取りしてここに打込み目地２０を形成するとすれば、ブロック１間の接続強度が高まる。。
【００２２】
以上の作業が終了すると、ハンガー２に断熱材５を刺通する。断熱材５はそれほど硬いものではないから、ハンガー２に容易に刺通できるし、また、それほど重いものでもないから、刺通だけでも十分に保持ができるが、その外方をハングネット３で押圧されることから、さらに強い保持力で保持できる。なお、このとき、断熱材５とブロック１との間に適宜なシール処理を施すこともある。そして、ハングネット３の横材１５をハンガー２のポケット１１に落とし込んでハングネット３を吊架する。最後に、ハングネット３の横材１５に外装材４を並べ掛けて行けば、構築は終了する。
【００２３】
この場合、ハングネット３が存在するスペースにモルタル等を充填しておき、外装材４をハングネット３で掛止するとともに、モルタルに押し付けてモルタルでも接着すると、外装材４の取付けは一層強固になり、剥げ落ちたりすることはない。なお、外装材４同士の間は、一定の目地２１を確保するのが美観上好ましいから、外装材４のサイズは目地２１が確保できるものにしておくが、この目地２１はモルタルが侵出して埋めるから、目地塗り等は必要ない。
【００２４】
一方、外装材４をハングネット３で掛止したとき、その裏面は、断熱材５（これがないときはブロック１）の表面に接当するのが、保持、美感上好ましいから、溝１６の深さをハングネット３の縦材１４と横材１５との厚みに合わせておく。したがって、ハングネット３の縦材１４と横材１５との間隔は、外装材４の寸法に対応したものになり、このようにすると、外装材４は、縦材１４と横材１５とで形成する空間内に嵌まり込むことになるり、取付けが容易になるし、縦、横の位置が揃う効果もある。
【００２５】
このとき、縦材１４はハンガー２に接近させておき、ハンガー２と共に目地２１の中に存在するようにするが（縦材１４の径とハンガーの厚みを足したものは目地２１の間隔よりも小さくしておく）、目地２１にはモルタルが侵出してこれを隠すから、美観上は問題ない。この他、外装材４を横材１５のみで掛止する乾式工法によってもよい。この場合は、外装材４の裏面を縦材１４に当ててブロック１との間に隙間を残すことになり、こうすると、横に長い外装材４が使用でき、これを適当な段ごとに挿入することで、アクセント効果が出せ、美的効果を高めることができる。なお、乾式工法によるときは、外装材４同士を適当に噛み合わせるか突き合わせる等してシールを図ることが多い。
【００２６】
以上において、ハンガー２のポケット１１の深さやハングネット３の縦材１４と横材１５との間隔等は、外装材４の寸法に応じて決定することは上述したが、一例を挙げると次のようになる。本例では、外装材４の縦、横の基本寸法が１００×２００ｍｍのものを使用して目地２１をそれぞれ１０ｍｍに設定した横貼りによっているが、これによると、外装材４の縦は９０ｍｍ、横は１９０ｍｍとなる。これに対応して、ハングネットの縦材１４の間隔は２００ｍｍ、横材の間隔は１００ｍｍになる。因みに、縦材１４、横材１５とも、５ｍｍの丸鋼を使用している。
【００２７】
外装材４の溝１６をハングネット３の横材１５に掛止した場合、外装材４の上面（長手方向の一側面）とブロック１の上面とを同じにするのが適する。このため、横材１５が嵌まり込むハンガー２のポケット１１の切欠１０の上面からの深さを外装材４の上面と溝１６までの長さと同じにしておく。壁体の端等において、ブロック１の高さと外装材４の高さとが揃っておれば、切断したり、継ぎ足したりする必要がないからである。そして、ハンガー２には、縦材１４を接触させて横材１５を掛止するようにする。これにより、ハンガー２と縦材１４とが目地２１の中に入り込むことになるが、寸法的に十分余裕のあるものとなる。ブロック１の端と外装材４の端を揃えるのが好ましいのは横方向も同じであって、この場合は、縦材１４をブロック１の継目の位置に設定すればよい。
【００２８】
図７は上記の寸法の外装材４を縦長に用いる縦貼りにした場合の側面断面図、図８は平面断面図であるが、この場合も、横材１５をハンガー２で吊架する点は変わらないが、横材１５を内側に、縦材１４を外側に配する点で異なる。また、ハングネット３の縦材１４と横材１５の間隔が逆になる点も相違している。そして、外装材４の溝１６を縦材１４に挿入して縦長の状態で貼って行くが、この場合も、外装材４の裏面は断熱材５に接触するから、外装材４は縦材１４と横材１５とで形成する空間内に嵌まり込む。
【００２９】
したがって、横材１５は外装材４の下側に存在し、そのずり落ちを防止する役割を果たす。加えて、この場合も、外装材４の縦方向と横方向の端は、ブロック１の縦方向及び横方向の端と一致するのが適する。そこで、ハンガー２のポケット１１の深さやブロック１に対するハングネット３の縦材１４、横材１５の位置をこの関係にする。なお、以上は、ハンガー２をブロック１の外面側に突出させた場合であるが、これを内面側に突出させ、これで内装材を取り付けることも可能である。
【図面の簡単な説明】
【００３０】
【図１】ＲＭ構築体の斜視図である。
【図２】ＲＭ構築体の側面断面図である。
【図３】ＲＭ構築体の平面断面図である。
【図４】ハンガーの側面図である。
【図５】ハングネットの他の横材の断面図である。
【図６】外装材の斜視図である。
【図７】外装材を縦貼りにしたときのＲＭ構築体の側面断面図である。
【図８】外装材を縦貼りにしたときのＲＭ構築体の平面断面図である。
【符号の説明】
【００３１】
１    ブロック
２    ハンガー
３    ハングネット
４    外装材
５    断熱材
６    フェイスセル
７    フェイスセル
８    ウェブセル
９    ウェブセル
１０  切欠
１１  ポケット
１２  溝
１３  突起
１４  縦材
１５  横材
１６  溝
１７  係合溝
１８  縦筋
１９  横筋
２０  打込み目地
２１  目地。
【図１】
2006169862.tif 000003
【図２】
2006169862.tif 000004
【図３】
2006169862.tif 000005
【図４】
2006169862.tif 000006
【図５】
2006169862.tif 000007
【図６】
2006169862.tif 000008
【図７】
2006169862.tif 000009
【図８】
2006169862.tif 000010